(57)【要約】【課題】確実に分蜂を防止できるとともに、構造が簡単で低コストで製造できる蜜蜂巣門構造を提供する。【解決手段】蜜蜂巣を収容する巣室２２を有する蜜蜂巣箱１２から蜂が出入りする巣門の構造であり、女王蜂Ｂ１も働き蜂Ｂ２も自在に通過できる大きさの第１開口１４を有する巣箱の第１開口壁１６と、第１開口壁１４の前部にあって第１開口１４を覆うように配置され第１開口１４に連通し働き蜂Ｂ２が自在に箱内外を通過できる大きさでかつ女王蜂Ｂ１が通過できない大きさの第２開口１８を有する前部室箱２０と、を含むことを特徴とする蜜蜂巣門構造１０から構成される。【選択図】図１
0003192877.tif 000002
【実用新案登録請求の範囲】
【請求項１】
蜜蜂巣を収容する巣室を有する蜜蜂巣箱から蜂が出入りする巣門の構造であり、
女王蜂も働き蜂も自在に通過できる大きさの第１開口を有する巣箱の第１開口壁と、
第１開口壁の前部にあって第１開口を覆うように配置され第１開口に連通し働き蜂が自在に箱内外を通過できる大きさでかつ女王蜂が通過できない大きさの第２開口を有する前部室箱と、を含むことを特徴とする蜜蜂巣門構造。
【請求項２】
第２開口は、外部と前部室箱内部とを連通する複数の孔を有することを特徴とする請求項１記載の蜜蜂巣門構造。
【請求項３】
第２開口は、横長のスリット孔を含むことを特徴とする請求項１又は２記載の蜜蜂巣門構造。
【請求項４】
第２開口は、開閉自在に設けられたことを特徴とする請求項１ないし３のいずれかに記載の蜜蜂巣門構造。
【考案の詳細な説明】
【技術分野】
【０００１】
本考案は、蜜蜂巣箱で飼育している蜜蜂が分蜂するのを防止する蜜蜂巣門構造に関する。
【背景技術】
【０００２】
養蜂業では、蜜蜂を巣箱で飼育し蜜蜂が集めた蜂蜜や蜜蝋などを採取して生計しているが、巣箱で飼育する蜜蜂の数は蜂蜜等の量に左右されることから重要な要素となる。蜜蜂の群れには多数の働き蜂と女王蜂とがいるが、女王蜂が卵を産み新しい女王蜂が誕生すると新しい（子の）女王蜂が巣箱に残り、古い（親の）女王蜂は働き蜂の半数程を連れて巣箱から出て行く分蜂が発生する。分蜂は、蜜蜂自身にとっては群数を拡大するための手段であるが、分蜂してしまうと飼育している巣箱内の蜜蜂が大幅に減り、蜂蜜等の収穫量が減ることから、養蜂業者にとっては経済的に打撃を受けてしまう場合が多い。よって養蜂業者は事前に分蜂を防止するためにこまめに監視及び管理する必要がある。従来、例えば、女王蜂が巣箱から遠くに飛べないように予め女王蜂の羽根を切っておくなどの様々な処置が施されていた。しかしながら、新しい女王蜂がいつ生まれたか分からず、人手で多数の巣箱を確認しながら羽根切り等の処置を行う必要があり、労力と時間がかかっていた。さらに、分蜂が起こりうる期間が春から秋ごろまでと長いうえ、分蜂がいつ発生するか確実に分かる方法がなく、長期間に亘り管理する必要があるが、上記のように人手に頼っていることから、大きな労力がかかる割に分蜂防止の確実性が低い問題があった。
【０００３】
例えば、特許文献１には、ミツバチの分蜂の発生を検知して分蜂したミツバチを回収するためのミツバチ分蜂検知システムが開示されている。特許文献１のミツバチ分蜂検知システムは、略閉鎖された内部空間にミツバチが巣板を形成する巣板形成領域と、ミツバチの出入り口である巣門とを少なくとも備えたミツバチ巣を有し、ミツバチの密集形成を検出する密集ミツバチ検出手段が前記巣門近傍に設置されている。密集ミツバチ検出手段は、光センサー、通過センサー又は温度センサーなどでミツバチの密集形成を検知して分蜂の発生の兆候を検知しようとするものであった。
【先行技術文献】
【特許文献】
【０００４】
【特許文献１】特開２０１４−６８６０６号公報
【考案の概要】
【考案が解決しようとする課題】
【０００５】
しかしながら、特許文献１のミツバチ分蜂検知システムは、光センサーや温度センサー等の電気電子機器を使用するものであるから、構造が複雑で製造コスト及び運用コストも高くつくうえ、巣箱自体を大きく改修する必要があり、手軽で安価な導入が困難であった。特に、特許文献１の技術は、ミツバチの分蜂発生の兆候を検知するものであり、分蜂の発生自体を防止しようとするものではないことから、検知した後に結局は人手で蜜蜂の回収作業等を行う必要があり、分蜂を確実には防止できないものであった。
【０００６】
本考案は上記従来の課題に鑑みてなされたものであり、その一つの目的は、確実に分蜂を防止できるとともに、構造が簡単で低コストで製造できる蜜蜂巣門構造を提供することにある。
【課題を解決するための手段】
【０００７】
上記課題を解決するために本考案は、蜜蜂巣を収容する巣室２２を有する蜜蜂巣箱１２から蜂が出入りする巣門の構造であり、女王蜂（Ｂ１）も働き蜂（Ｂ２）も自在に通過できる大きさの第１開口１４を有する巣箱の第１開口壁１６と、第１開口壁１４の前部にあって第１開口１４を覆うように配置され第１開口１４に連通し働き蜂（Ｂ２）が自在に箱内外を通過できる大きさでかつ女王蜂（Ｂ１）が通過できない大きさの第２開口１８を有する前部室箱２０と、を含むことを特徴とする蜜蜂巣門構造１０から構成される。
【０００８】
また、第２開口１８は、外部ＥＸと前部室箱内部（３０）とを連通する複数の孔（４６）を有することとしてもよい。
【０００９】
また、第２開口１８は、横長のスリット孔４６を含むこととしてもよい。
【００１０】
また、第２開口１８は、開閉自在に設けられていることとしてもよい。
【考案の効果】
【００１１】
本考案の蜜蜂巣門構造によれば、蜜蜂巣を収容する巣室を有する蜜蜂巣箱から蜂が出入りする巣門の構造であり、女王蜂も働き蜂も自在に通過できる大きさの第１開口を有する巣箱の第１開口壁と、第１開口壁の前部にあって第１開口を覆うように配置され第１開口に連通し働き蜂が自在に箱内外を通過できる大きさでかつ女王蜂が通過できない大きさの第２開口を有する前部室箱と、を含む構成であるから、前部室箱の第２開口により女王蜂が外部に出ることが規制されるので、分蜂を確実に防止することができる。さらに、構造が簡単であり低コストで製造できる。特に、第２開口を有する前部室箱を製造し、既設の蜂蜜巣箱に取り付けるだけで簡単に分蜂を防止できる巣門構造を構築することができる。
【００１２】
また、第２開口は、外部と前部室箱内部とを連通する複数の孔を有する構成とすることにより、働き蜂が通過でき女王蜂が通過できない孔を複数設けることによって多数の働き蜂が同時に出入りすることができる結果、蜜蜂等の集蜜力を低下させることなく、効率良く蜂蜜等を収穫できる。
【００１３】
また、第２開口は、横長のスリット孔を含む構成とすることにより、スリット孔の高さを調整することで働き蜂が通過できるとともに、女王蜂が通過できない孔を簡単な構造で実現できるとともに、横長構造であるので多数の働き蜂が同時に出入りすることができる結果、分蜂防止を確実に行いながら、蜜蜂等の集蜜力を低下させることなく効率良く蜂蜜等を収穫できる。
【００１４】
また、第２開口は、開閉自在に設けられる構成とすることにより、必要に応じて第２開口を簡単に開閉することができる。例えば夜間や巣箱を移動する場合等で働き蜂を巣箱内に収容管理しておく際に、前部室箱を取り付けたままの状態で第２開口を閉鎖して働き蜂が出入りできないようにすることができる。
【図面の簡単な説明】
【００１５】
【図１】本考案の一実施形態に係る蜜蜂巣門構造の要部の縦断面説明図である。
【図２】図１の蜜蜂巣門構造で前部室箱を分離した状態で示した斜視説明図である。
【図３】図１の蜜蜂巣門構造の前部室箱の正面側から見た斜視図である。
【図４】図３の前部室箱の背面側から見た斜視図である。
【図５】図３の前部室箱の正面図である。
【図６】蜜蜂巣門構造の前部室箱の他の実施例の説明図である。
【考案を実施するための形態】
【００１６】
以下、添付図面を参照しつつ本考案の蜜蜂巣門構造の実施の形態について説明する。本考案の蜜蜂巣門構造は、例えば、飼育している蜜蜂巣箱から蜜蜂が分蜂するのを防止するのに好適な働き蜂の出入り口構造である。図１ないし図５は、本考案の蜜蜂巣門構造の一実施形態を示している。図１、図２、図３に示すように、本実施形態において、蜜蜂巣門構造１０は、蜜蜂巣箱１２から蜜蜂が出入りする巣門の構造である。蜜蜂巣門構造１０は、第１開口１４が設けられた巣箱１２の第１開口壁１６と、第２開口１８を有する前部室箱２０と、を備えている。なお、図１、図２では、巣箱１２の要部部分を示し、その他の部分を省略している。
【００１７】
図１、図２に示すように、本実施形態では、蜜蜂巣箱１２は、例えば、従来周知の巣箱であり、内部に蜂蜜巣を収容する巣室２２を有する矩形箱状体からなる。蜜蜂巣箱１２は、例えば、木製で底壁２４と四周を囲む側壁２６を有し、上面側が着脱自在な蓋２８で閉鎖されており、内部空間を巣室２２としている。巣室２２には、図示していないが、例えば、蜂の巣となり蜜蜂や蜜蝋等を貯める複数の巣板が板面を立てて平行状に並べて配置される。図２では、内部が連通する２段の巣箱を重ねて設置され上層側の巣箱１２２の上端面に蓋装着されて閉鎖されているが、巣箱を１段又は３段以上の複数段重ねていてもよい。
【００１８】
下層側の巣箱１２の１つの側壁２６は、蜜蜂が出入りするための第１開口１４が設けられており、第１開口壁１６を構成している。第１開口１４は、従来周知の巣箱１２に設けられた巣門であり、例えば、働き蜂Ｂ２も女王蜂Ｂ１も自在に通過できる大きさで形成される。なお、従来の巣箱１２の巣門は、一般的にスズメバチ等の他の害虫や害獣が通過できないような大きさで形成されている。本実施形態では、第１開口１４は、働き蜂の巣箱１２からの出入りをある程度効率的に行わせるために横長略台形状のスリット状に設けられている。例えば、蜜蜂の種類がセイヨウミツバチの場合には、第１開口１４の高さ幅Ｈ１が、約６〜７ｍｍ程度に設定されている。第１開口１４の高さは飼育する蜜蜂の種類に応じて設定されるとよい。なお、図２上、２９は、従来周知の巣箱１２に設けられた第１開口１４を開閉する落とし戸式の開閉板であり、図示しないロック装置を介して上方に上げられた位置で保持されている。開閉板２９は、前部室箱２０が取り付けられていない状態で第１開口１４を開閉する。
【００１９】
図１、図２に示すように、前部室箱２０は、内部が中空で所定の大きさの室内空間３０を有しており、第１開口１４が設けられた第１開口壁１６の前部にあって、第１開口１４を覆うように配置される。前部室箱２０は、第１開口１４に連通するとともに、外部ＥＸと室内空間３０とを連通した第２開口１８を有している。本実施形態では、前部室箱２０は、例えば、巣箱１２とは別体で設けられており、第１開口壁１６の外面側に外付けで固定されている。具体的には、図３、図４、図５にも示すように、前部室箱２０は、例えば、第１開口壁１６に臨む面側が開口３２された横長矩形枠状の中空箱からなり、第１開口１４を覆うように第１開口より大きく形成されている。前部室箱２０は、第１開口１４の前部に対向配置される横長矩形状の輪郭の前面部３４と、該前面部３４の四辺に後方側（第１開口壁側）に向けて一体的に突設した上壁部３６と下壁部３８と右壁部４０と左壁部４２とを有し、４つの壁部３６〜４２に囲まれた内部に室内空間３０を形成している。前部室箱２０は、例えば、複数（図上では４つ）の取付用孔４４が穿孔されており、釘やネジ等を介して巣箱の第１開口壁１６の外面に固定される。前部室箱２０は、第１開口壁１６にあてがわれて固定されると、室内空間３０が第１開口１４と連通するとともに、上下左右の壁部３６〜４２により室内空間３０が外部から閉鎖され、前面部３４に設けられた第２開口１８を介して外部と連通される。すなわち、第２開口１８が設けられた前面部３４を第１開口１４からある程度離隔させた位置に設置させ、働き蜂Ｂ２が自在に移動できる室内空間３０を確保している。本実施形態では、室内空間３０の前後幅すなわち第１開口１４と第２開口１８との離隔幅は、例えば、１５ｍｍ程度に設定されている。第１開口１４と第２開口１８との離隔幅は、働き蜂の出入り通過効率を考慮して、１０ｍｍ以上に設定されるとよい。
【００２０】
第２開口１８は、前部室箱２０において外部と連通した蜂の出入り用開口であり、働き蜂Ｂ２が自在に箱内外を通過できる大きさでかつ女王蜂Ｂ１が通過できない大きさで形成されている。すなわち、第２開口１８は、女王蜂Ｂ１が外部に出ていくのを防止する規制手段であり、女王蜂が外部に出ていくことにより発生する分蜂を確実に防止することができる。例えば、既設の巣箱１２の巣門すなわち第１開口１４の高さ幅Ｈ１を狭くして、働き蜂が自在に箱内外を通過できる大きさでかつ女王蜂が通過できない大きさとすると、分蜂は防止できるが、通路開口が狭くなることから多数の働き蜂が出入りしにくくなることから、集蜜効率が低下する。本実施形態のように、前部室箱２０では、働き蜂が自在に通過できる大きさでかつ女王蜂が通過できない大きさの第２開口１８を第１開口から離隔した位置に配置し、室内空間３０を介して連通させた構成としたことで、女王蜂の通過を抑制できる構造でありながら、多数の働き蜂の出入りをスムーズに行わせ集蜜効率を高く維持することができる。本実施形態では、第２開口１８は、例えば、複数の横長のスリット孔４６からなる。スリット孔４６は、前部室箱２０の前面部３４に格子状の枠体４８により、縦横にマトリクス状に並列して開口されている。枠体４８は、例えば、複数の細長棒状の枠部材を縦横に組み付けて設けられており、細長棒状枠部材どうしの間に前後方向に連通した横長スリット孔４６が形成されている。スリット孔４６は、該スリット孔の高さ幅Ｈ２を所定の間隙で設定することにより、働き蜂が自在に通過できるとともに女王蜂が通過できないようになっている。例えば、蜜蜂の種類がセイヨウミツバチの場合にはスリット孔の高さ幅Ｈ２がそれぞれ約４ｍｍ程度に設定される。なお、蜜蜂の種類に応じてスリット孔の高さは任意に設定するとよい。なお、第２開口１８は、スリット孔に限らず、例えば、丸孔や角孔等、働き蜂を通過させるとともに女王蜂を通過させない大きさの孔であれば任意の形状でもよい。本実施形態では、例えば、前部室箱２０は枠体４８を含めて全体的にプラスチック等の硬質合成樹脂で一体的に成形されている。なお、枠体４８部分を別部材で設け前部室箱２０本体に固定的又は開閉自在に組み付けて構成してもよい。
【００２１】
次に本考案の蜜蜂巣門構造の作用について説明する。例えば、第２開口１８を設けて製造した前部室箱２０を用意し、既設の蜜蜂巣箱１２の巣門を第１開口１４とし該巣門が設けられた側壁２６を第１開口壁１６として、第１開口１４を覆うように前部室箱２０を固定する。通常は、巣箱１２の第１開口１４及び前部室箱２０の第２開口１８を介して働き蜂Ｂ２が自在に出入りして蜂蜜や蜜蝋等を採取することができる。この際、前部室箱２０の室内空間３０が確保されて、複数のスリット孔４６から多数の働き蜂が出入りできるので、集蜜効率を低下させることがない。女王蜂Ｂ１が卵を生み、新しい女王蜂が誕生した際には、古い女王蜂Ｂ１は巣箱１２から外部に出て行こうとするが、第１開口１４を通過しても、第２開口１８により該女王蜂Ｂ１が外部に出るのが規制される。その結果、管理者がこまめに監視しなくても確実に分蜂の発生を防止しながら、効率良く養蜂することができる。
【００２２】
なお、図６に示すように、前部室箱２０の第２開口１８を開閉できる構造としてもよい。図６では、例えば、前部室箱２０の前面部の複数のスリット孔を同時に開閉する開閉板５０を有している。開閉板５０は、例えば、前部室箱の前面部３４に突設されたレール部５２を介してスライド自在に設けられており、必要に応じて開閉板５０を手でスライドさせて第２開口１８を開閉する。なお、第２開口を開閉する構成は、例えば、開き戸式や落とし戸式、多数の孔が設けられた２枚の板を互いに摺動して開閉する構造等、その他任意の構成でもよい。また、前部室箱２０を取り付けた状態で第１開口１４を開閉できる構造を設けることとしてもよい。
【００２３】
以上説明した本考案の蜜蜂巣門構造は、上記した実施形態のみの構成に限定されるものではなく、実用新案登録請求の範囲に記載した本考案の本質を逸脱しない範囲において、任意の改変を行ってもよい。
【産業上の利用可能性】
【００２４】
本考案の蜜蜂巣門構造は、蜜蜂や蜜蝋の採取等で蜜蜂を飼育する際に好適に利用される。
【符号の説明】
【００２５】
１０    蜜蜂巣門構造
１２    巣箱
１４    第１開口
１６    第１開口壁
１８    第２開口
２０    前部室箱
２２    巣室
４６    スリット孔
４８    枠体
【図１】
0003192877.tif 000003
【図２】
0003192877.tif 000004
【図３】
0003192877.tif 000005
【図４】
0003192877.tif 000006
【図５】
0003192877.tif 000007
【図６】
0003192877.tif 000008